(57)【要約】      （修正有）【課題】画像形成面への傷つきを防止し、安定した搬送を行うことができる平版印刷版の搬送装置を提供する。【解決手段】合紙アリＰＳ版と合紙ナシＰＳ版を搬送ベルト２０と押さえベルト３０とで挟持して搬送する場合において、搬送ベルトとＰＳ版との間の静摩擦係数をμｓａ、ＰＳ版と合紙との間の静摩擦係数をμｓｂ、合紙と押えベルトとの間の静摩擦係数をμｓｃ、搬送ベルトと押さえベルトとの間の静摩擦係数をμｓｄ、ＰＳ版と押えベルトとの間の静摩擦係数をμｓｅとしたとき、（１）μｓａ＞μｓｂ×１．２、（２）μｓｃ≦μｓｂ×１．２、（３）μｓｄ≦１．２、（４）μｓｅ≦０．７の条件をすべて満たすようにする。【選択図】  図２
2007261712.tif 000002
【特許請求の範囲】
【請求項１】
画像形成面に合紙が貼り合わされた平版印刷版を搬送ベルトと押さえベルトとで挟持して搬送する平版印刷版の搬送装置において、
搬送ベルトと平版印刷版との間の静摩擦係数をμｓａ、平版印刷版と合紙との間の静摩擦係数をμｓｂ、合紙と押えベルトとの間の静摩擦係数をμｓｃ、搬送ベルトと押さえベルトとの間の静摩擦係数をμｓｄとしたとき、
（１）μｓａ＞μｓｂ×１．２
（２）μｓｃ≦μｓｂ×１．２
（３）μｓｄ≦１．２
の条件をすべて満たすことを特徴とする平版印刷版の搬送装置。
【請求項２】
画像形成面に合紙が貼り合わされた平版印刷版を搬送ベルトと押さえベルトとで挟持して搬送する平版印刷版の搬送装置において、
搬送ベルトと平版印刷版との間の動摩擦係数をμｋａ、平版印刷版と合紙との間の動摩擦係数をμｋｂ、合紙と押えベルトとの間の動摩擦係数をμｋｃ、搬送ベルトと押さえベルトとの間の動摩擦係数をμｋｄとしたとき、
（１）μｋａ＞μｋｂ×１．０
（２）μｋｃ≦μｋｂ×１．０
（３）μｋｄ≦１．２
の条件をすべて満たすことを特徴とする平版印刷版の搬送装置。
【請求項３】
画像形成面に合紙が貼り合わされていない平版印刷版を搬送ベルトと押さえベルトとで挟持して搬送する平版印刷版の搬送装置において、
搬送ベルトと平版印刷版との間の静摩擦係数をμｓａ、平版印刷版と押えベルトとの間の静摩擦係数をμｓｅ、搬送ベルトと押さえベルトとの間の静摩擦係数をμｓｄとしたとき、
（１）μｓａ＞１．３
（２）μｓｅ≦０．７
（３）μｓｄ≦１．２
の条件をすべて満たすことを特徴とする平版印刷版の搬送装置。
【請求項４】
画像形成面に合紙が貼り合わされていない平版印刷版を搬送ベルトと押さえベルトとで挟持して搬送する平版印刷版の搬送装置において、
搬送ベルトと平版印刷版との間の動摩擦係数をμｋａ、平版印刷版と押えベルトとの間の動摩擦係数をμｋｅ、搬送ベルトと押さえベルトとの間の動摩擦係数をμｋｄとしたとき、
（１）μｋａ＞１．０
（２）μｋｅ≦０．６
（３）μｋｄ≦１．２
の条件をすべて満たすことを特徴とする平版印刷版の搬送装置。
【請求項５】
画像形成面に合紙が貼り合わされた平版印刷版と、前記画像形成面に合紙が貼り合わされていない平版印刷版とを搬送ベルトと押さえベルトとで挟持して搬送する平版印刷版の搬送装置において、
搬送ベルトと平版印刷版との間の静摩擦係数をμｓａ、平版印刷版と合紙との間の静摩擦係数をμｓｂ、合紙と押えベルトとの間の静摩擦係数をμｓｃ、搬送ベルトと押さえベルトとの間の静摩擦係数をμｓｄ、平版印刷版と押えベルトとの間の静摩擦係数をμｓｅとしたとき、
（１）μｓａ＞μｓｂ×１．２
（２）μｓｃ≦μｓｂ×１．２
（３）μｓｄ≦１．２
（４）μｓｅ≦０．７
の条件をすべて満たすことを特徴とする平版印刷版の搬送装置。
【請求項６】
画像形成面に合紙が貼り合わされた平版印刷版と、前記画像形成面に合紙が貼り合わされていない平版印刷版とを搬送ベルトと押さえベルトとで挟持して搬送する平版印刷版の搬送装置において、
搬送ベルトと平版印刷版との間の動摩擦係数をμｋａ、平版印刷版と合紙との間の動摩擦係数をμｋｂ、合紙と押えベルトとの間の動摩擦係数をμｋｃ、搬送ベルトと押さえベルトとの間の動摩擦係数をμｋｄ、平版印刷版と押えベルトとの間の動摩擦係数をμｋｅとしたとき、
（１）μｋａ＞μｋｂ×１．０
（２）μｋｃ≦μｋｂ×１．０
（３）μｋｄ≦１．２
（４）μｋｅ≦０．６
の条件をすべて満たすことを特徴とする平版印刷版の搬送装置。
【発明の詳細な説明】
【技術分野】
【０００１】
本発明は、平版印刷版の搬送装置に係り、特に搬送ベルトと押さえベルトとで平版印刷版を挟持して搬送する平版印刷版の搬送装置に関する。
【背景技術】
【０００２】
電子写真製版法を含む近年の製版法では、製版工程の自動化を容易にすべく、感光性印刷版や感熱性印刷板等の平版印刷版（以下、ＰＳ版（Ｐｒｅ−Ｓｅｎｓｉｔｉｚｅｄ Ｐｌａｔｅ）と称する）が広く用いられている。
【０００３】
ＰＳ版は、一般に帯状に形成されたものを所定の加工ラインで所望のサイズに切断することで最終的な製品とされる。この加工ラインには、集積装置が備えられており、製品サイズに切断されたＰＳ版は、コンベア装置で集積装置まで搬送され、厚さ方向に集積される（たとえば、特許文献１〜３参照）。
【０００４】
ところで、このように切断後のＰＳ版をコンベア装置によって集積装置に搬送する場合、搬送途中の蛇行による集積トラブル（ジャミング）を防ぐため、ＰＳ版を搬送ベルト上に保持して搬送する必要がある。特に、ライン構成の関係で搬送ベルトの傾斜角を大きく取った場合には、ＰＳ版の蛇行を抑制するため、ＰＳ版を搬送ベルト上にしっかりと保持して搬送する必要がある。
【０００５】
このため、製品サイズに切断されたＰＳ版を集積装置に搬送するコンベア装置には、搬送ベルトの上に押えベルトが配置され、この押さえベルトと搬送ベルトとでＰＳ版を挟持して搬送する構成とされている。
【特許文献１】特開２００１−８０７３４号公報
【特許文献２】特開２００２−４６９２４号公報
【特許文献３】特開２００２−２２６０７５号公報
【発明の開示】
【発明が解決しようとする課題】
【０００６】
ところで、ライン構成の関係で搬送ベルトを傾斜させた場合であっても、集積装置の制約から、集積装置の直前では搬送ベルトを水平に戻す必要がある。
【０００７】
しかしながら、押さえベルトを備えたコンベア装置で傾斜部と水平部を形成すると、その傾斜部と水平部との切り換わりの部分、すなわち、搬送角度が変更される部分で押えベルトが搬送ベルトにラップし、搬送ベルトと押えベルトとの間に速度差が生じるという問題がある。
【０００８】
そして、この速度差のあるラップ部分を表面に合紙が貼り合わされたＰＳ版が通過すると、合紙がＰＳ版の表面で滑り、ＰＳ版の表面に形成された感光層又は感熱層が傷むという欠点がある。
【０００９】
また、合紙がないＰＳ版の場合も、押えベルトがＰＳ版の表面で滑り、ＰＳ版の表面に形成された感光層又は感熱層が傷むという欠点がある。
【００１０】
一方、ＰＳ版が通過していないときには、搬送ベルトと押えベルトとが相互に擦れ、双方のベルトが磨耗して、ベルトカスが発生するという問題もある。そして、そのベルトカスがＰＳ版に付着して製品性能を損なうという欠点もある。
【００１１】
これらを防止するために、傾斜部と水平部とを分離することもできるが、このように、傾斜部と水平部とを分離した構成にすると、傾斜部から水平部に移る部分でＰＳ版が一旦空中に浮き、蛇行して集積トラブルなどが発生するという欠点がある。
【００１２】
本発明は、このような事情に鑑みてなされたもので、画像形成面への傷つきを防止し、安定した搬送を行うことができる平版印刷版の搬送装置を提供することを目的とする。
【課題を解決するための手段】
【００１３】
請求項１に係る発明は、前記目的を達成するために、画像形成面に合紙が貼り合わされた平版印刷版を搬送ベルトと押さえベルトとで挟持して搬送する平版印刷版の搬送装置において、搬送ベルトと平版印刷版との間の静摩擦係数をμｓａ、平版印刷版と合紙との間の静摩擦係数をμｓｂ、合紙と押えベルトとの間の静摩擦係数をμｓｃ、搬送ベルトと押さえベルトとの間の静摩擦係数をμｓｄとしたとき、（１）μｓａ＞μｓｂ×１．２、（２）μｓｃ≦μｓｂ×１．２、（３）μｓｄ≦１．２の条件をすべて満たすことを特徴とする平版印刷版の搬送装置を提供する。
【００１４】
請求項１に係る発明によれば、いわゆる合紙アリの平版印刷版を搬送ベルトと押さえベルトとで挟持して搬送する場合において、搬送ベルトと平版印刷版との間の静摩擦係数をμｓａ、平版印刷版と合紙との間の静摩擦係数をμｓｂ、合紙と押えベルトとの間の静摩擦係数をμｓｃ、搬送ベルトと押さえベルトとの間の静摩擦係数をμｓｄとしたとき、（１）μｓａ＞μｓｂ×１．２、（２）μｓｃ≦μｓｂ×１．２、（３）μｓｄ≦１．２の条件をすべて満たすように搬送ベルトと押さえベルトを設定する。この結果、搬送経路中に押さえベルトのラップ部がある場合であっても、平版印刷版と合紙の間では滑らず、合紙と押さえベルトの間で滑って、平版印刷版が搬送される。これにより、画像形成面に傷がつくのを防止でき、また、安定した搬送を行うことができる。また、ベルトカスが発生しない程度の力で搬送ベルトと押さえベルトとが擦れるので、ベルトカスによる製品性能の低下も防止できる。
【００１５】
請求項２に係る発明は、前記目的を達成するために、画像形成面に合紙が貼り合わされた平版印刷版を搬送ベルトと押さえベルトとで挟持して搬送する平版印刷版の搬送装置において、搬送ベルトと平版印刷版との間の動摩擦係数をμｋａ、平版印刷版と合紙との間の動摩擦係数をμｋｂ、合紙と押えベルトとの間の動摩擦係数をμｋｃ、搬送ベルトと押さえベルトとの間の動摩擦係数をμｋｄとしたとき、（１）μｋａ＞μｋｂ×１．０、（２）μｋｃ≦μｋｂ×１．０、（３）μｋｄ≦１．２の条件をすべて満たすことを特徴とする平版印刷版の搬送装置を提供する。
【００１６】
請求項２に係る発明によれば、いわゆる合紙アリの平版印刷版を搬送ベルトと押さえベルトとで挟持して搬送する場合において、搬送ベルトと平版印刷版との間の動摩擦係数をμｋａ、平版印刷版と合紙との間の動摩擦係数をμｋｂ、合紙と押えベルトとの間の動摩擦係数をμｋｃ、搬送ベルトと押さえベルトとの間の動摩擦係数をμｋｄとしたとき、（１）μｋａ＞μｋｂ×１．０、（２）μｋｃ≦μｋｂ×１．０、（３）μｋｄ≦１．２の条件をすべて満たすように搬送ベルトと押さえベルトを設定する。この結果、搬送経路中に押さえベルトのラップ部がある場合であっても、平版印刷版と合紙の間では滑らず、合紙と押さえベルトの間で滑って、平版印刷版が搬送される。これにより、画像形成面に傷がつくのを防止でき、また、安定した搬送を行うことができる。また、ベルトカスが発生しない程度の力で搬送ベルトと押さえベルトとが擦れるので、ベルトカスによる製品性能の低下も防止できる。
【００１７】
請求項３に係る発明は、前記目的を達成するために、画像形成面に合紙が貼り合わされていない平版印刷版を搬送ベルトと押さえベルトとで挟持して搬送する平版印刷版の搬送装置において、搬送ベルトと平版印刷版との間の静摩擦係数をμｓａ、平版印刷版と押えベルトとの間の静摩擦係数をμｓｅ、搬送ベルトと押さえベルトとの間の静摩擦係数をμｓｄとしたとき、（１）μｓａ＞１．３、（２）μｓｅ≦０．７、（３）μｓｄ≦１．２の条件をすべて満たすことを特徴とする平版印刷版の搬送装置を提供する。
【００１８】
請求項３に係る発明によれば、いわゆる合紙ナシの平版印刷版を搬送ベルトと押さえベルトとで挟持して搬送する場合において、搬送ベルトと平版印刷版との間の静摩擦係数をμｓａ、平版印刷版と押えベルトとの間の静摩擦係数をμｓｅ、搬送ベルトと押さえベルトとの間の静摩擦係数をμｓｄとしたとき、（１）μｓａ＞１．３、（２）μｓｅ≦０．７、（３）μｓｄ≦１．２の条件をすべて満たすように搬送ベルトと押さえベルトを設定する。この結果、搬送経路中に押さえベルトのラップ部がある場合であっても、平版印刷版の画像形成面に傷がつかない程度の弱い力で押さえベルトが滑って、平版印刷版が搬送される。これにより、画像形成面に傷がつくのを防止でき、また、安定した搬送を行うことができる。また、ベルトカスが発生しない程度の力で搬送ベルトと押さえベルトとが擦れるので、ベルトカスによる製品性能の低下も防止できる。
【００１９】
請求項４に係る発明は、前記目的を達成するために、画像形成面に合紙が貼り合わされていない平版印刷版を搬送ベルトと押さえベルトとで挟持して搬送する平版印刷版の搬送装置において、搬送ベルトと平版印刷版との間の動摩擦係数をμｋａ、平版印刷版と押えベルトとの間の動摩擦係数をμｋｅ、搬送ベルトと押さえベルトとの間の動摩擦係数をμｋｄとしたとき、（１）μｋａ＞１．０、（２）μｋｅ≦０．６、（３）μｋｄ≦１．２の条件をすべて満たすことを特徴とする平版印刷版の搬送装置を提供する。
【００２０】
請求項４に係る発明によれば、いわゆる合紙ナシの平版印刷版を搬送ベルトと押さえベルトとで挟持して搬送する場合において、搬送ベルトと平版印刷版との間の動摩擦係数をμｋａ、平版印刷版と押えベルトとの間の動摩擦係数をμｋｃ、搬送ベルトと押さえベルトとの間の動摩擦係数をμｋｄとしたとき、（１）μｋａ＞１．０、（２）μｋｅ≦０．６、（３）μｋｄ≦１．２の条件をすべて満たすように搬送ベルトと押さえベルトを設定する。この結果、搬送経路中に押さえベルトのラップ部がある場合であっても、平版印刷版の画像形成面に傷がつかない程度の弱い力で平版印刷版と押さえベルトとの間に滑りが生じて、平版印刷版が搬送される。これにより、画像形成面に傷がつくのを防止でき、また、安定した搬送を行うことができる。また、ベルトカスが発生しない程度の力で搬送ベルトと押さえベルトとが擦れるので、ベルトカスによる製品性能の低下も防止できる。
【００２１】
請求項５に係る発明は、前記目的を達成するために、画像形成面に合紙が貼り合わされた平版印刷版と、前記画像形成面に合紙が貼り合わされていない平版印刷版とを搬送ベルトと押さえベルトとで挟持して搬送する平版印刷版の搬送装置において、搬送ベルトと平版印刷版との間の静摩擦係数をμｓａ、平版印刷版と合紙との間の静摩擦係数をμｓｂ、合紙と押えベルトとの間の静摩擦係数をμｓｃ、搬送ベルトと押さえベルトとの間の静摩擦係数をμｓｄ、平版印刷版と押えベルトとの間の静摩擦係数をμｓｅとしたとき、（１）μｓａ＞μｓｂ×１．２、（２）μｓｃ≦μｓｂ×１．２、（３）μｓｄ≦１．２、（４）μｓｅ≦０．７の条件をすべて満たすことを特徴とする平版印刷版の搬送装置を提供する。
【００２２】
請求項５に係る発明によれば、いわゆる合紙アリの平版印刷版と合紙ナシの平版印刷版とを搬送ベルトと押さえベルトとで挟持して搬送する場合において、搬送ベルトと平版印刷版との間の静摩擦係数をμｓａ、平版印刷版と合紙との間の静摩擦係数をμｓｂ、合紙と押えベルトとの間の静摩擦係数をμｓｃ、搬送ベルトと押さえベルトとの間の静摩擦係数をμｓｄ、平版印刷版と押えベルトとの間の静摩擦係数をμｓｅとしたとき、（１）μｓａ＞μｓｂ×１．２、（２）μｓｃ≦μｓｂ×１．２、（３）μｓｄ≦１．２、（４）μｓｅ≦０．７の条件をすべて満たすように搬送ベルトと押さえベルトを設定する。これにより、搬送経路中に押さえベルトのラップ部がある場合であっても、合紙アリの平版印刷版の場合には、平版印刷版と合紙の間では滑らず、合紙と押さえベルトの間で滑って、平版印刷版が搬送される。また、合紙ナシの平版印刷版の場合には、平版印刷版の画像形成面に傷がつかない程度の弱い力で押さえベルトが滑って、平版印刷版が搬送される。これにより、画像形成面に傷がつくのを防止できる。また、ベルトカスが発生しない程度の力で搬送ベルトと押さえベルトとが擦れるので、ベルトカスによる製品性能の低下も防止できる。
【００２３】
請求項６に係る発明は、前記目的を達成するために、画像形成面に合紙が貼り合わされた平版印刷版と、前記画像形成面に合紙が貼り合わされていない平版印刷版とを搬送ベルトと押さえベルトとで挟持して搬送する平版印刷版の搬送装置において、搬送ベルトと平版印刷版との間の動摩擦係数をμｋａ、平版印刷版と合紙との間の動摩擦係数をμｋｂ、合紙と押えベルトとの間の動摩擦係数をμｋｃ、搬送ベルトと押さえベルトとの間の動摩擦係数をμｋｄ、平版印刷版と押えベルトとの間の動摩擦係数をμｋｅとしたとき、（１）μｋａ＞μｋｂ×１．０、（２）μｋｃ≦μｋｂ×１．０、（３）μｋｄ≦１．２、（４）μｋｅ≦０．６の条件をすべて満たすことを特徴とする平版印刷版の搬送装置を提供する。
【００２４】
請求項６に係る発明によれば、いわゆる合紙アリの平版印刷版と合紙ナシの平版印刷版とを搬送ベルトと押さえベルトとで挟持して搬送する場合において、搬送ベルトと平版印刷版との間の動摩擦係数をμｋａ、平版印刷版と合紙との間の動摩擦係数をμｋｂ、合紙と押えベルトとの間の動摩擦係数をμｋｃ、搬送ベルトと押さえベルトとの間の動摩擦係数をμｋｄ、平版印刷版と押えベルトとの間の動摩擦係数をμｋｅとしたとき、（１）μｋａ＞μｋｂ×１．０、（２）μｋｃ≦μｋｂ×１．０、（３）μｋｄ≦１．２、（４）μｋｅ≦０．６の条件をすべて満たすように搬送ベルトと押さえベルトを設定する。これにより、搬送経路中に押さえベルトのラップ部がある場合であっても、合紙アリの平版印刷版の場合には、平版印刷版と合紙の間では滑らず、合紙と押さえベルトの間で滑って、平版印刷版が搬送される。また、合紙ナシの平版印刷版の場合には、平版印刷版の画像形成面に傷がつかない程度の弱い力で押さえベルトが滑って、平版印刷版が搬送される。これにより、画像形成面に傷がつくのを防止できる。また、ベルトカスが発生しない程度の力で搬送ベルトと押さえベルトとが擦れるので、ベルトカスによる製品性能の低下も防止できる。
【発明の効果】
【００２５】
本発明に係る平版印刷版の搬送装置によれば、画像形成面への傷つきを防止し、安定した搬送を行うことができる。
【発明を実施するための最良の形態】
【００２６】
以下、添付図面に従って本発明に係る平版印刷版の搬送装置の好ましい実施態様について説明する。
【００２７】
上記のように、ＰＳ版は帯状に形成されたもの（以下、この帯状のＰＳ版をウエブと称する）を所定の加工ラインで所定サイズに切断することで最終製品とされる。
【００２８】
図１は、このＰＳ版の加工ラインの一例を示す概略図であり、本発明が適用されたコンベア装置（搬送装置）が組み込まれている。
【００２９】
同図に示すように、この加工ライン１００の上流側には、あらかじめロール状に巻かれたウエブ１０２を巻き出す送出機１０４が配設されている。
【００３０】
送出機１０４から送り出されたウエブ１０２は、レベラ１０６でカールが矯正された後、合紙貼り合わせ装置１０８で表面（画像形成面）に合紙１１０が貼り合わされる。
【００３１】
なお、ＰＳ版には合紙が貼り合わされないものもあり、この場合、ウエブ１０２は、合紙１１０が貼り合わされることなく、合紙貼り合わせ装置１０８を通過する。
【００３２】
合紙貼り合わせ装置１０８を通過したウエブ１０２は、裁断装置１１２で所定の幅に切断された後、測長装置１１４で送り長が検出され、指示されたカット長で走間カッタ１１６により切断される。これにより、設定されたサイズのＰＳ版１１８が製造される。
【００３３】
製品サイズとなったＰＳ版１１８は、本発明が適用されたコンベア装置１０によって集積装置１２０に搬送され、その集積装置１２０で厚さ方向に積層されて積層束とされる。この後、ＰＳ版１１８は、積層束の状態で図示しない包装装置に包装される。
【００３４】
上記のように、製品サイズとなったＰＳ版１１８は、コンベア装置１０によって集積装置１２０に搬送される。
【００３５】
図２は、本発明が適用されたコンベア装置の概略構成を示す側面図である。また、図３は、図２のＡ矢視図である。
【００３６】
図２、図３に示すように、このコンベア装置１０は、搬送ベルト２０の搬送路上に押さえベルト３０が配置されており、搬送ベルト２０と押さえベルト３０とでＰＳ版１１８を挟持して搬送する。
【００３７】
搬送ベルト２０は、所定幅をもって無端状に形成されており、所定位置に配置された６本のガイドローラ２２Ａ〜２２Ｆに巻き掛けられて、所定の搬送路を形成する。
【００３８】
なお、図３に示すように、本例では３本の搬送ベルト２０が、幅方向に一定の間隔をもってガイドローラ２２Ａ〜２２Ｆに巻き掛けられており、この３本の搬送ベルト２０によって搬送路が形成されている。
【００３９】
この３本の搬送ベルト２０によって形成される搬送路は、傾斜部４０Ａと水平部４０Ｂとからなり、傾斜部４０Ａは、ガイドローラ２２Ａとガイドローラ２２Ｂとに巻き掛けられて形成されている。また、水平部４０Ｂは、ガイドローラ２２Ｂとガイドローラ２２Ｃとに巻き掛けられて形成されている。すなわち、ガイドローラ２２Ｂとガイドローラ２２Ｃは、同じ高さの位置に配置されており、これにより、ガイドローラ２２Ｂとガイドローラ２２Ｃとの間に水平部４０Ｂが形成される。一方、ガイドローラ２２Ａは、ガイドローラ２２Ｂよりも低い位置に配置されており、これにより、ガイドローラ２２Ａとガイドローラ２２Ｂとの間に傾斜部４０Ａが形成される。
【００４０】
なお、ガイドローラ２２Ｃには、図示しないモータが接続されており、このモータに駆動されて、ガイドローラ２２Ｃが回転することにより、搬送ベルト２０が図中Ｘ方向に走行する。
【００４１】
また、ガイドローラ２２Ｅは、上下方向に移動可能に設けられており、このガイドローラ２２Ｅの設置位置を調整することにより、搬送ベルト２０にかけるテンション、及び、搬送ベルト２０の蛇行を調整できるようにされている。
【００４２】
押さえベルト３０も同様に所定幅をもって無端状に形成されており、所定位置に配置された５本のガイドローラ３２Ａ〜３２Ｅに巻き掛けられて、搬送ベルト２０の搬送路上に配置されている。
【００４３】
なお、図３に示すように、本例では４本の押さえベルト３０が、幅方向に一定の間隔をもってガイドローラ３２Ａ〜３２Ｅに巻き掛けられており、この４本の押さえベルト３０が搬送ベルト２０の搬送路上に配置されている。
【００４４】
また、ガイドローラ３２Ｂには、図示しないモータが接続されており、このモータに駆動されて、ガイドローラ３２Ｂが回転することにより、押さえベルト３０が図中Ｘ方向に走行する。
【００４５】
また、ガイドローラ３２Ｄは、上下方向に移動可能に設けられており、このガイドローラ３２Ｄの設置位置を調整することにより、押さえベルト３０にかけるテンション、及び、押さえベルト３０の蛇行を調整できるようにされている。
【００４６】
コンベア装置１０は、以上のように構成される。このコンベア装置１０によれば、ガイドローラ２２Ｃ及びガイドローラ３２Ｂに接続された図示しないモータを駆動し、搬送ベルト２０と押さえベルト３０とを同期させて走行させることにより、その間に供給されたＰＳ版１１８を搬送ベルト２０と押さえベルト３０とで挟持しながら搬送でき、ＰＳ版１１８を蛇行させることなく搬送することができる。
【００４７】
ところで、上記構成のコンベア装置１０では、図２に示すように、搬送ベルト２０の搬送路に傾斜部４０Ａと水平部４０Ｂとが形成されており、搬送角度が途中で変更されている。
【００４８】
このように搬送角度が途中で変更された搬送ベルト２０の上に押さえベルト３０を配置すると、搬送角度が変更される部分、すなわち、ガイドローラ２２Ｂに巻き掛けられた部分で押さえベルト３０が搬送ベルト２０にラップする。
【００４９】
そして、このように押さえベルト３０が搬送ベルト２０にラップすると、そのラップ部でベルトの厚さ分の周速差が生じ、搬送ベルト２０と押さえベルト３０との間で滑りが発生する。
【００５０】
また、そのラップ部を通過するＰＳ版も表面に合紙が貼り合わされたＰＳ版（いわゆる合紙アリＰＳ版）の場合には、搬送ベルト２０とＰＳ版１１８、ＰＳ版１１８と合紙１１０、合紙１１０と押さえベルト３０の間で滑りが発生する。
【００５１】
また、表面に合紙が貼り合わされていないＰＳ版（いわゆる合紙ナシＰＳ版）の場合には、搬送ベルト２０とＰＳ版１１８、ＰＳ版１１８と押さえベルト３０の間で滑りが発生する。
【００５２】
そして、合紙アリＰＳ版を搬送する場合において、ＰＳ版１１８と合紙１１０の間に強い力の滑りが発生すると、ＰＳ版１１８の表面（画像形成面）が傷むという問題がある。
【００５３】
また、合紙ナシＰＳ版を搬送する場合において、ＰＳ版１１８と押さえベルト３０の間に強い力の滑りが発生すると、ＰＳ版１１８の表面（画像形成面）が傷むという問題がある。
【００５４】
さらに、搬送ベルト２０と押さえベルト３０の間に強い力の滑りが発生すると、双方のベルトが磨耗するとともに、ベルトカスが発生し、発生したベルトカスがＰＳ版１１８に付着して製品性能を低下させるという問題がある。
【００５５】
そこで、本実施の形態のコンベア装置１０では、次のようにＰＳ版を搬送し、ＰＳ版表面への傷、ベルトの磨耗等を防止する。
【００５６】
すなわち、合紙アリＰＳ版を搬送する場合には、ＰＳ版１１８と合紙１１０の間では滑らず、合紙１１８と押さえベルト３０の間で滑るように搬送するとともに、搬送ベルト２０と押さえベルト３０とが、磨耗しない程度の弱い力で滑るように搬送する。
【００５７】
また、合紙ナシＰＳ版の場合には、ＰＳ版１１８と押さえベルト３０が弱い力で滑るように搬送するとともに、搬送ベルト２０と押さえベルト３０とが、磨耗しない程度の弱い力で滑るように搬送する。
【００５８】
そして、このようにＰＳ版を搬送するため、合紙アリＰＳ版を搬送する場合には、図４（ａ）及び（ｃ）に示すように、搬送ベルト２０とＰＳ版１１８との間の静摩擦係数をμｓａ、ＰＳ版１１８と合紙１１０との間の静摩擦係数をμｓｂ、合紙１１０と押えベルト３０との間の静摩擦係数をμｓｃ、搬送ベルト２０と押さえベルト３０との間の静摩擦係数をμｓｄとしたとき、（１）μｓａ＞μｓｂ×１．２、（２）μｓｃ≦μｓｂ×１．２、（３）μｓｄ≦１．２、好ましくは、μｓｄ≦０．６５の条件をすべて満たすように搬送ベルト２０と押さえベルト３０を設定する。
【００５９】
また、合紙ナシＰＳ版を搬送する場合には、図４（ｂ）及び（ｃ）に示すように、搬送ベルト２０とＰＳ版１１８との間の静摩擦係数をμｓａ、ＰＳ版１１８と押えベルト３０との間の静摩擦係数をμｓｅ、搬送ベルト２０と押さえベルト３０との間の静摩擦係数をμｓｄとしたとき、（１）μｓａ＞１．３、（２）μｓｅ≦０．７、好ましくは、μｓｅ≦０．６、（３）μｓｄ≦１．２、好ましくは、μｓｄ≦０．６５の条件をすべて満たすように搬送ベルトと押さえベルトを設定する。
【００６０】
これにより、ラップ部がある場合であっても、合紙アリＰＳ版の場合には、ＰＳ版１１８と合紙１１０の間では滑らず、合紙１１０と押さえベルト３０の間で滑ってＰＳ版１１８が搬送される。これにより、画像形成面に傷がつくのを防止できる。また、搬送ベルト２０と押さえベルト３０は、磨耗が発生しない程度の力で滑り、ベルトカスの発生を防止できる。
【００６１】
また、合紙ナシＰＳ版の場合には、ＰＳ版１１８の表面に傷がつかない程度の弱い力で押さえベルト３０が滑ってＰＳ版１１８が搬送される。これにより、画像形成面に傷がつくのを防止できる。また、搬送ベルト２０と押さえベルト３０は、磨耗が発生しない程度の力で滑り、ベルトカスの発生を防止できる。
【００６２】
なお、上記の条件は静摩擦係数によって規定した場合であって、動摩擦係数で規定する場合には、次のように設定する。
【００６３】
すなわち、合紙アリＰＳ版を搬送する場合は、図４（ａ）及び（ｃ）に示すように、搬送ベルト２０とＰＳ版１１８との間の動摩擦係数をμｋａ、ＰＳ版１１８と合紙１１０との間の動摩擦係数をμｋｂ、合紙１１０と押えベルト３０との間の動摩擦係数をμｋｃ、搬送ベルト２０と押さえベルト３０との間の動摩擦係数をμｋｄとしたとき、（１）μｋａ＞μｋｂ×１．０、（２）μｋｃ≦μｋｂ×１．０、（３）μｋｄ≦１．２、好ましくは、μｋｄ≦０．６５の条件をすべて満たすように搬送ベルト２０と押さえベルト３０を設定する。
【００６４】
また、合紙ナシＰＳ版を搬送する場合には、図４（ｂ）及び（ｃ）に示すように、搬送ベルト２０とＰＳ版１１８との間の動摩擦係数をμｋａ、ＰＳ版と押えベルト３０との間の動摩擦係数をμｋｃ、搬送ベルト２０と押さえベルト３０との間の動摩擦係数をμｋｄとしたとき、（１）μｋａ＞１．０、（２）μｋｅ≦０．６、好ましくは、μｋｅ≦０．５、（３）μｋｄ≦１．２、好ましくは、μｋｄ≦０．６５の条件をすべて満たすように搬送ベルト２０と押さえベルト３０を設定する。
【００６５】
これにより、静摩擦係数によって規定した場合と同様に、合紙アリＰＳ版の場合には、ＰＳ版１１８と合紙１１０の間では滑らず、合紙１１０と押さえベルト３０の間で滑ってＰＳ版１１８が搬送され、ＰＳ版１１８の表面に傷がつくのを防止できる。また、双方のベルトの磨耗を抑制して、ベルトカスの発生も防止できる。
【００６６】
また、合紙ナシＰＳ版の場合には、ＰＳ版１１８の表面に傷がつかない程度の弱い力で押さえベルト３０が滑ってＰＳ版１１８が搬送され、画像形成面に傷がつくのを防止できる。また、搬送ベルト２０と押さえベルト３０は、磨耗が発生しない程度の力で滑って、ベルトカスの発生を防止できる。
【００６７】
なお、上記は、合紙アリＰＳ版と合紙ナシＰＳ版のいずれか一方を搬送する場合の条件であり、合紙アリＰＳ版と合紙ナシＰＳ版の双方を搬送する場合には、次のように設定する。
【００６８】
すなわち、図４（ａ）〜（ｃ）に示すように、搬送ベルト２０とＰＳ版１１８との間の静摩擦係数をμｓａ、ＰＳ版１１８と合紙１１０との間の静摩擦係数をμｓｂ、合紙１１０と押えベルト３０との間の静摩擦係数をμｓｃ、搬送ベルト２０と押さえベルト３０との間の静摩擦係数をμｓｄ、ＰＳ版１１８と押えベルト３０との間の静摩擦係数をμｓｅとしたとき、（１）μｓａ＞μｓｂ×１．２、（２）μｓｃ≦μｓｂ×１．２、（３）μｓｄ≦１．２、好ましくは、μｓｄ≦０．６５、（４）μｓｅ≦０．７、好ましくは、μｓｅ≦０．６の条件をすべて満たすように搬送ベルト２０と押さえベルト３０を設定する。
【００６９】
これにより、ラップ部がある場合であっても、合紙アリのＰＳ版の場合には、ＰＳ版１１８と合紙１１０の間では滑らず、合紙１１０と押さえベルト３０の間で滑って、ＰＳ版が搬送される。また、合紙ナシのＰＳ版の場合には、ＰＳ版１１８の画像形成面に傷がつかない程度の弱い力で押さえベルト３０が滑って、ＰＳ版が搬送される。これにより、ＰＳ版の画像形成面に傷がつくのを防止できる。また、ベルトカスが発生しない程度の力で搬送ベルト２０と押さえベルト３０とが擦れるので、ベルトカスによる製品性能の低下も防止できる。
【００７０】
なお、動摩擦係数によって規定する場合は、次のように設定する。すなわち、図４（ａ）〜（ｃ）に示すように、搬送ベルト２０とＰＳ版１１８との間の動摩擦係数をμｋａ、ＰＳ版１１８と合紙１１０との間の動摩擦係数をμｋｂ、合紙１１０と押えベルト３０との間の動摩擦係数をμｋｃ、搬送ベルト２０と押さえベルト３０との間の動摩擦係数をμｋｄ、ＰＳ版１１８と押えベルト３０との間の動摩擦係数をμｋｅとしたとき、（１）μｋａ＞μｋｂ×１．０、（２）μｋｃ≦μｋｂ×１．０、（３）μｋｄ≦１．２、好ましくは、μｋｄ≦０．６５、（４）μｋｅ≦０．６、好ましくは、μｋｅ≦０．５の条件をすべて満たすことを特徴とするＰＳ版の搬送装置を提供する。
【００７１】
これにより、静摩擦係数で規定した場合と同様に、ラップ部がある場合であっても、合紙アリのＰＳ版の場合には、ＰＳ版１１８と合紙１１０の間では滑らず、合紙１１０と押さえベルト３０の間で滑って、ＰＳ版が搬送される。また、合紙ナシのＰＳ版の場合には、ＰＳ版１１８の画像形成面に傷がつかない程度の弱い力で押さえベルト３０が滑って、ＰＳ版が搬送される。これにより、ＰＳ版の画像形成面に傷がつくのを防止できる。また、ベルトカスが発生しない程度の力で搬送ベルト２０と押さえベルト３０とが擦れるので、ベルトカスによる製品性能の低下も防止できる。
【００７２】
なお、本実施の形態では、製品サイズに切断されたＰＳ版を集積部に搬送するコンベア装置に本発明を適用した場合について説明したが、本発明の適用は、これに限定されるものではない。製品サイズに切断されたＰＳ版を他の工程に搬送するコンベア装置にはもちろん、製品サイズに切断する前のウエブの状態のＰＳ版を搬送するコンベア装置にも本発明を適用することができる。
【００７３】
また、合紙とＰＳ版との間の静摩擦係数及び動摩擦係数は、合紙貼り合わせ装置１０８によって、合紙とＰＳ版とを静電気などにより接着力を付与することで、合紙とＰＳ版の間での滑りを防止することもできる。
【実施例】
【００７４】
本発明の効果を確認するため、搬送ベルトとＰＳ版の間の静摩擦係数（μｓａ）、ＰＳ版と合紙の間の静摩擦係数（μｓｂ）、合紙と押えベルトの間の静摩擦係数（μｓｃ）を変えて合紙アリＰＳ版を搬送し、画像形成面の傷を検査した。
【００７５】
同様に本発明の効果を確認するため、搬送ベルトとＰＳ版の間の静摩擦係数（μｓａ）、ＰＳ版と押えベルトとの間の静摩擦係数（μｓｅ）を変えて合紙ナシＰＳ版を搬送し、画像形成面の傷を検査した。
【００７６】
また、搬送ベルトと押さえベルトの間の静摩擦係数（μｓｄ）を変えてコンベア装置を運転し、双方のベルトの磨耗傾向を検査した。
【００７７】
表１は、搬送ベルトとＰＳ版の間の静摩擦係数（μｓａ）、ＰＳ版と合紙の間の静摩擦係数（μｓｂ）、合紙と押えベルトの間の静摩擦係数（μｓｃ）を変えて合紙アリＰＳ版を搬送した時の画像形成面の傷の検査結果である。
【００７８】
【表１】
2007261712.tif 000003
また、表２は、搬送ベルトとＰＳ版の間の静摩擦係数（μｓａ）、ＰＳ版と押えベルトとの間の静摩擦係数（μｓｅ）を変えて合紙ナシＰＳ版を搬送した時の画像形成面の傷の検査結果である。
【００７９】
【表２】
2007261712.tif 000004
また、表３は、搬送ベルトと押さえベルトの間の静摩擦係数（μｓｄ）を変えてコンベア装置を運転した時の双方のベルトの磨耗傾向の検査結果である。
【００８０】
【表３】
2007261712.tif 000005
なお、各検査には、図２及び図３の構成のコンベア装置を使用した。
【００８１】
この際、コンベア装置の機長を５ｍ、１本の搬送ベルトのベルト幅を１００ｍｍ、１本の押さえベルトの幅を５００ｍｍ、傾斜部の最大斜度を２０度とし、搬送速度を８０〜１５０ｍ／分として運転を行った。
【００８２】
また、搬送ベルトには、表面（搬送面）はポリウレタンで、裏面はポリエステル製の帆布で構成されたものを使用し、搬送面に縄目状の凹凸を形成した搬送ベルトＡと、搬送面を平滑に形成した搬送ベルトＢと、搬送ベルトＡにおける縄目状の凹凸の先端を丸くした搬送ベルトＣを用意し、使用する搬送ベルトを変えることにより摩擦係数の調整を行った。
【００８３】
同様に押さえベルトには、ポリエステル製の帆布の搬送面側にクラリーノ（登録商標）を付けたものを使用し、樹脂状の被覆がないクラリーノ（登録商標）の押さえベルトＤと、樹脂状の被覆があるクラリーノ（登録商標）の押さえベルトＥを用意し、使用する搬送ベルトを変えることにより摩擦係数の調整を行なった。
【００８４】
なお、摩擦係数の測定は、ＪＩＳ規格の摩擦係数試験法（ＪＩＳ  Ｋ  ７１２５  プラスチックーフィルム及びシート―摩擦係数試験方法（ＩＳＯ―８２９５）、及び、ＪＩＳ  Ｐ  ８１４７  紙及び板紙の摩擦係数試験方法）に従い株式会社東洋精機製作所製の摩擦測定器ＴＲ−２（商品名）を用いて行った。
【００８５】
表１に示すように、合紙アリＰＳ版を搬送する場合、搬送ベルトとＰＳ版との間の静摩擦係数μｓａをμｓａ＞μｓｂ×１．２、合紙と押えベルトとの間の静摩擦係数μｓｃをμｓｃ≦μｓｂ×１．２とすれば、画像形成面に傷を発生させることなくＰＳ版を搬送できることが確認できた。
【００８６】
同様に搬送ベルトとＰＳ版との間の動摩擦係数μｋａをμｋａ＞μｋｂ×１．０、合紙と押えベルトとの間の動摩擦係数μｋｃをμｋｃ≦μｋｂ×１．０とすれば、画像形成面に傷を発生させることなくＰＳ版を搬送できることが確認できた。
【００８７】
また、表２に示すように、合紙ナシＰＳ版を搬送する場合、搬送ベルトと平版印刷版との間の静摩擦係数μｓａをμｓａ＞１．３、平版印刷版と押えベルトとの間の静摩擦係数μｓｅをμｓｅ≦０．７とすれば、画像形成面に傷を発生させることなくＰＳ版を搬送できることが確認できた。また、より効果的に傷の発生を防止するためには、μｓｅ≦０．６とすることが好ましいことが確認できた。
【００８８】
同様に搬送ベルトと平版印刷版との間の動摩擦係数μｋａをμｋａ＞１．０、平版印刷版と押えベルトとの間の動摩擦係数μｋｅをμｋｅ≦０．６とすれば、画像形成面に傷を発生させることなくＰＳ版を搬送できることが確認できた。また、より効果的に傷の発生を防止するためには、μｓｅ≦０．５とすることが好ましいことが確認できた。
【００８９】
また、表３に示すように、搬送ベルトと押さえベルトとの間の静摩擦係数μｓｄをμｓｄ≦１．２とすれば、双方のベルトの磨耗を抑制できることが確認できた。また、より効果的に磨耗を防止するためには、μｓｄ≦０．６４とすることが好ましいことが確認できた。
【００９０】
同様に搬送ベルトと押さえベルトとの間の動摩擦係数μｋｄをμｋｄ≦１．２とすれば、双方のベルトの磨耗を抑制できることが確認できた。また、より効果的に磨耗を防止するためには、μｋｄ≦０．６５とすることが好ましいことが確認できた。
【００９１】
以上のことから、合紙アリＰＳ版を搬送する場合には、（１）μｓａ＞μｓｂ×１．２、（２）μｓｃ≦μｓｂ×１．２、（３）μｓｄ≦１．２、好ましくは、μｓｄ≦０．６５の条件をすべて満たすように、又は、（１）μｋａ＞μｋｂ×１．０、（２）μｋｃ≦μｋｂ×１．０、（３）μｋｄ≦１．２、好ましくは、μｋｄ≦０．６５の条件をすべて満たすように搬送ベルトと押さえベルトを設定することにより、画像形成面への傷つきを防止し、安定した搬送を行うことができることが確認できた。
【００９２】
また、合紙ナシＰＳ版を搬送する場合には、（１）μｓａ＞１．３、（２）μｓｅ≦０．７、好ましくは、μｓｅ≦０．６、（３）μｓｄ≦１．２、好ましくは、μｓｄ≦０．６５の条件をすべて満たすように、又は、（１）μｋａ＞１．０、（２）μｋｅ≦０．６、好ましくは、μｋｅ≦０．５、（３）μｋｄ≦１．２、好ましくは、μｋｄ≦０．６５の条件をすべて満たすように搬送ベルトと押さえベルトを設定することにより、画像形成面への傷つきを防止し、安定した搬送を行うことができることが確認できた。
【００９３】
また、合紙アリのＰＳ版と合紙ナシのＰＳ版と搬送する場合には、（１）μｓａ＞μｓｂ×１．２、（２）μｓｃ≦μｓｂ×１．２、（３）μｓｄ≦１．２、好ましくは、μｓｄ≦０．６５、（４）μｓｅ≦０．７、好ましくは、μｓｅ≦０．６の条件をすべて満たすように、又は、（１）μｋａ＞μｋｂ×１．０、（２）μｋｃ≦μｋｂ×１．０、（３）μｋｄ≦１．２、好ましくは、μｋｄ≦０．６５、（４）μｋｅ≦０．６、好ましくは、μｋｅ≦０．５の条件をすべて満たすように搬送ベルトと押さえベルトを設定することにより、画像形成面への傷つきを防止し、安定した搬送を行うことができることが確認できた。
【図面の簡単な説明】
【００９４】
【図１】ＰＳ版の加工ラインの一例を示す概略図
【図２】本発明が適用されたコンベア装置の概略構成を示す側面図
【図３】図２のＡ矢視図
【図４】ＰＳ版、合紙、搬送ベルト、押さえベルトの間の静摩擦係数及び動摩擦係数の説明図
【符号の説明】
【００９５】
１００…加工ライン、１０２…ウエブ、１０４…送出機、１０６…レベラ、１０８…合紙貼り合わせ装置、１１０…合紙、１１２…裁断装置、１１４…測長装置、１１６…走間カッタ、１１８…平版印刷版（ＰＳ版）、１０…コンベア装置、２０…搬送ベルト、２２Ａ〜２２Ｆ…ガイドローラ、３０…押さえベルト、３２Ａ〜３２Ｅ…ガイドローラ、４０Ａ…傾斜部、４０Ｂ…水平部、μｓａ…搬送ベルトと平版印刷版との間の静摩擦係数、μｓｂ…平版印刷版と合紙との間の静摩擦係数、μｓｃ…合紙と押えベルトとの間の静摩擦係数、μｓｄ…搬送ベルトと押さえベルトとの間の静摩擦係数、μｓｅ…平版印刷版と押えベルトとの間の静摩擦係数、μｋａ…搬送ベルトと平版印刷版との間の動摩擦係数、μｋｂ…平版印刷版と合紙との間の動摩擦係数、μｋｃ…合紙と押えベルトとの間の動摩擦係数、μｋｄ…搬送ベルトと押さえベルトとの間の動摩擦係数、μｋｅ…平版印刷版と押えベルトとの間の動摩擦係数
【図１】
2007261712.tif 000006
【図２】
2007261712.tif 000007
【図３】
2007261712.tif 000008
【図４】
2007261712.tif 000009